(57)【特許請求の範囲】
【請求項１】
サーバと、前記サーバとネットワークを介して接続される第１及び第２のクライアント端末と、を備えるサーバクライアントシステムであって、
前記第１のクライアント端末は、
前記サーバから情報を取得し、ウェブブラウザを用いて所定の表示設定項目についての設定情報である画面属性情報に従って当該取得した情報を第１の表示部に表示させる第１の表示制御手段と、
前記所定の表示設定項目の設定を変更する指示を入力するための入力部と、を備え、
前記第２のクライアント端末は、
前記情報を演算処理する専用アプリケーションを用いて前記情報を前記第２の表示部に表示させる第２の表示制御手段を備え、
前記サーバは、
前記画面属性情報を記憶する画面属性記憶手段を備え、
前記第１の表示制御手段は、
前記情報を前記第１の表示部に表示させている際に前記入力部によって入力された前記指示に従って前記画面属性情報を更新し、当該更新した画面属性情報を前記サーバに送信し、前記ウェブブラウザを用いて当該更新した画面属性情報に基づいて前記情報を前記第１の表示部に再表示させ、
前記サーバは、
前記第１の表示制御手段から前記更新された画面属性情報を受信した場合に、当該画面属性情報を前記画面属性記憶手段に記憶させ、
前記第２の表示制御手段は、
前記サーバから前記情報と前記更新された画面属性情報とを取得し、前記専用アプリケーションを用いて当該更新された画面属性情報に基づいて前記情報を第２の表示部に表示させるサーバクライアントシステム。
【請求項２】
サーバと、前記サーバとネットワークを介して接続される設備装置と、前記サーバと前記ネットワークを介して接続され、前記設備装置の設備情報を遠隔監視する第１及び第２のクライアント端末と、を備える遠隔監視システムであって、
前記サーバは、
前記設備装置の設備情報を記憶する設備情報記憶手段と、
前記設備情報を表示する際の所定の表示設定項目についての設定情報である画面属性情報を記憶する画面属性記憶手段と、
を備え、
前記第１のクライアント端末は、
前記サーバから前記設備情報と前記画面属性情報とを取得し、ウェブブラウザを用いて前記画面属性情報に基づいて前記設備情報を第１の表示部に表示させる表示制御手段と、
前記所定の表示設定項目の設定を変更する指示を入力するための入力部と、を備え、
前記第２のクライアント端末は、
前記サーバから前記設備情報を取得して、専用アプリケーションを用いて所定の演算処理を行う演算手段と、
を備え、
前記表示制御手段は、
前記設備情報を前記第１の表示部に表示させている際に前記入力部によって入力された前記指示に従って前記画面属性情報を更新し、当該更新した画面属性情報を前記サーバに送信し、前記ウェブブラウザを用いて当該更新した画面属性情報に基づいて前記設備情報を前記第１の表示部に再表示させ、
前記サーバは、
前記表示制御手段から前記更新された画面属性情報を受信した場合に、当該画面属性情報を前記画面属性記憶手段に記憶させ、
前記演算手段は、
前記サーバから前記画面属性情報と前記更新された画面属性情報とを取得して、当該更新された画面属性情報に基づいて、前記専用アプリケーションを用いて前記設備情報を第２の表示部に表示させる遠隔監視システム。
【請求項３】
前記画面属性記憶手段は、前記設備装置の識別情報と前記画面属性情報とを対応付けて記憶している請求項２に記載の遠隔監視システム。
【請求項４】
サーバと、前記サーバとネットワークを介して接続される設備装置と、前記サーバと前記ネットワークを介して接続される第１及び第２のクライアント端末と、を備える遠隔監視システムにおいて、前記設備装置の設備情報を遠隔監視する遠隔監視方法であって、
前記サーバは、
前記設備装置の設備情報を記憶する設備情報記憶手段と、
前記設備情報を表示する際の所定の表示設定項目についての設定情報である画面属性情報を記憶する画面属性記憶手段と、
を備え、
前記第１のクライアント端末により、
前記サーバから前記設備情報と前記画面属性情報とを取得し、ウェブブラウザを用いて前記画面属性情報に基づいて前記設備情報を第１の表示部に表示させる表示制御工程と、
前記設備情報を前記第１の表示部に表示させている際に、前記所定の表示設定項目の設定を変更する指示を入力するための入力工程と、
前記入力工程において入力された前記指示に従って前記画面属性情報を更新する工程と、
前記更新した画面属性情報を前記サーバに送信する工程と、
前記ウェブブラウザを用いて前記更新した画面属性情報に基づいて前記設備情報を前記第１の表示部に再表示させる工程と、
前記サーバにより、
前記第１のクライアント端末から前記更新された画面属性情報を受信した場合に、当該画面属性情報を前記画面属性記憶手段に記憶させる工程と、
前記第２のクライアント端末により、
前記サーバから前記設備情報を取得して、専用アプリケーションを用いて所定の演算処理を行う演算工程と、
を備え、
前記演算工程において、前記第２のクライアント端末は、前記サーバから前記前記更新された画面属性情報を取得して、当該更新された画面属性情報に基づいて、前記専用アプリケーションを用いて前記設備情報を第２の表示部に表示させる遠隔監視方法。
【発明の詳細な説明】
【技術分野】
【０００１】
本発明は、サーバクライアントシステム、遠隔監視システム及び遠隔監視方法に関する。
【背景技術】
【０００２】
従来、遠隔地にある設備装置と、当該設備装置と通信回線を介して接続される外部端末と、を備える遠隔監視システムが知られている（例えば、特許文献１）。そして、外部端末は、通信回線を介して設備装置の情報を収集して表示部に表示する。
【０００３】
具体的には、外部端末は、ウェブブラウザを用いて収集した情報を表示部に表示する。また、外部端末には、当該情報を表示したり解析したりするための専用アプリケーションがインストールされている。そして、外部端末は、当該専用アプリケーションを用いて収集した情報を表示部に表示することもできる。
【特許文献１】特開２００２−０３４０２６号公報
【発明の開示】
【発明が解決しようとする課題】
【０００４】
しかしながら、外部端末においてウェブブラウザを用いて情報を表示する場合、スクロール等の表示機能の操作性能が劣る。一方、専用アプリケーションを用いて情報を表示する場合、表示機能等の操作性能は優れるが、当該情報をどのように表示画面に表示するかについての画面属性情報を個々のユーザが個々のクライアント端末において設定しなければならず、不便であるという問題がある。
【０００５】
本発明は、このような問題点を解決するためになされたものであり、より簡便に表示を行うことができるサーバクライアントシステム、遠隔監視システム及び遠隔監視方法を提供することを目的とする。
【課題を解決するための手段】
【０００６】
本発明にかかるサーバクライアントシステムは、サーバと、前記サーバとネットワークを介して接続されるクライアント端末と、を備えるサーバクライアントシステムであって、前記クライアント端末は、前記サーバから情報を取得し、取得した前記情報を表示部に表示させる第１の表示制御手段を備え、前記サーバは、前記第１の表示制御手段が前記情報を前記表示部に表示させる際に用いる画面属性情報を記憶する画面属性記憶手段を備え、前記第１の表示制御手段は、前記サーバから前記情報とともに前記画面属性情報を取得し、前記画面属性情報に基づいて前記情報を前記表示部に表示させ、前記クライアント端末は、前記第１の表示制御手段よりも表示に関する操作性能が高い第２の表示制御手段を備え、前記第２の表示制御手段は、前記サーバから前記情報と前記画面属性情報とを取得し、前記画面属性情報に基づいて前記情報を表示部に表示させるものである。
このような構成により、クライアント端末において、第２の表示制御手段により情報を表示部に表示させる際に、第１の表示制御手段が用いる画面属性情報を流用することができる。これにより、第２の表示制御手段により情報を表示部に表示させるための画面属性情報をクライアント端末において設定しなくても済む。また、サーバから画面属性情報を各クライアント端末が取得できるので、各クライアント端末毎に、第２の表示制御手段が用いる画面属性情報を設定していた手間を省くことができる。従って、表示に関する操作性能がより高い表示をより簡便に行うことができる。
【０００７】
また、好ましくは、前記第１の表示制御手段は、ウェブブラウザを用いて前記情報を前記表示部に表示させ、前記第２の表示制御手段は、前記情報を演算する専用アプリケーションを用いて前記情報を前記表示部に表示させる。
このような構成により、汎用アプリケーションであるウェブブラウザにおいて用いられる画面属性情報を専用アプリケーションで流用することができる。これにより、画面属性情報を専用アプリケーションのために設定していた手間を省くことができる。従って、専用アプリケーションによる情報の表示をより簡便に行うことができる。
【０００８】
また、本発明にかかる遠隔監視システムは、サーバと、前記サーバと前記ネットワークを介して接続される設備装置と、前記サーバと前記ネットワークを介して接続され、前記設備装置の設備情報を遠隔監視するクライアント端末と、を備える遠隔監視システムであって、前記サーバは、前記設備装置の設備情報を記憶する設備情報記憶手段と、前記設備情報の表示に関する画面属性情報を記憶する画面属性記憶手段と、を備え、前記クライアント端末は、前記サーバから前記設備情報と前記画面属性情報とを取得し、前記画面属性情報に基づいて前記設備情報を表示部に表示させる表示制御手段と、前記サーバから前記設備情報を取得して所定の演算処理を行う演算手段と、を備え、前記演算手段は、前記サーバから前記画面属性情報を取得して、前記画面属性情報に基づいて、前記設備情報を前記表示部に表示させるものである。
このような構成により、クライアント端末において、演算手段により設備情報を表示部に表示させる際に、表示制御手段が用いる画面属性情報を流用することができる。これにより、演算手段により設備情報を表示部に表示させるための画面属性情報をクライアント端末において設定しなくても済む。また、サーバから画面属性情報を各クライアント端末が取得できるので、各クライアント端末毎に、演算手段が用いる画面属性情報を設定していた手間を省くことができる。従って、より簡便に設備情報の表示を行うことができる。
【０００９】
また、好ましくは、前記表示制御手段は、ウェブブラウザを用いて前記設備情報を前記表示部に表示させ、前記演算手段は、前記設備情報を演算処理する専用アプリケーションを用いて前記設備情報を前記表示部に表示させるものである。
このような構成により、汎用アプリケーションであるウェブブラウザにおいて用いられる画面属性情報を専用アプリケーションで流用することができる。これにより、画面属性情報を専用アプリケーションのために設定していた手間を省くことができる。従って、専用アプリケーションによる設備情報の表示をより簡便に行うことができる。
【００１０】
さらに、好ましくは、前記画面属性記憶手段は、前記設備装置の識別情報と前記画面属性情報とを対応付けて記憶するものである。
これにより、クライアント端末は、設備装置の識別情報を指定することにより、当該設備装置の設備情報を表示するための画面属性情報を取得することができる。そして、設備装置毎に異なる画面属性情報をクライアント端末において個々に設定する手間を省くことができる。
【００１１】
また、前記クライアント端末は、前記画面属性情報を更新する指示を入力するための入力部を備え、前記表示制御手段は、前記設備情報を前記表示部に表示させている際に前記入力部によって入力された指示に従って前記画面属性情報を更新し、更新した前記画面属性情報を前記サーバに送信し、前記サーバは、更新された前記画面属性情報を受信した場合に、当該画面属性情報を前記画面属性記憶手段に記憶させる。
これにより、表示制御手段により設備情報を表示部に表示させている際に、画面属性情報を更新することができる。また、更新された画面属性情報がサーバに記憶されるので、演算手段は、更新された画面属性情報をサーバから取得することによって、更新された画面属性情報を流用することができる。
【００１２】
さらに、前記演算手段は、前記設備情報を前記表示部に表示させている際に前記入力部によって入力された指示に従って前記画面属性情報を更新し、更新した前記画面属性情報を前記サーバに送信し、前記サーバは、更新された前記画面属性情報を受信した場合に、当該画面属性情報を前記画面属性記憶手段に記憶させる。
これにより、演算手段により設備情報を表示部に表示させている際に、画面属性情報を更新することができる。また、更新された画面属性情報がサーバに記憶されるので、表示制御手段は、更新された画面属性情報をサーバから取得することによって、更新された画面属性情報を用いることができる。
【００１３】
また、本発明にかかる遠隔監視方法は、サーバと、前記サーバと前記ネットワークを介して接続される設備装置と、前記サーバとネットワークを介して接続されるクライアント端末と、を備える遠隔監視システムにおいて、前記設備装置の設備情報を遠隔監視する遠隔監視方法であって、前記サーバは、前記設備装置の設備情報を記憶する設備情報記憶手段と、前記設備情報の表示に関する画面属性情報を記憶する画面属性記憶手段と、を備え、前記クライアント端末により、前記サーバから前記設備情報と前記画面属性情報とを取得し、前記画面属性情報に基づいて前記設備情報を表示部に表示させる表示制御工程と、前記サーバから前記設備情報を取得して所定の演算処理を行う演算工程と、を備え、前記演算工程において、前記クライアント端末は、前記サーバから前記画面属性情報を取得して、前記画面属性情報に基づいて、前記設備情報を前記表示部に表示させるものである。
これにより、クライアント端末において、演算工程により設備情報を表示部に表示させる際に、表示制御工程において用いられる画面属性情報を流用することができる。これにより、演算工程により設備情報を表示部に表示させるための画面属性情報をクライアント端末において設定しなくても済む。また、サーバから画面属性情報を各クライアント端末が取得できるので、各クライアント端末毎に、演算工程において用いられる画面属性情報を設定していた手間を省くことができる。従って、より簡便に設備情報の表示を行うことができる。
【発明の効果】
【００１４】
本発明によれば、クライアント端末における表示をより簡便に行うことができる。
【発明を実施するための最良の形態】
【００１５】
以下に、本発明を実施するための最良の形態について図を参照して説明する。なお、本発明は、以下の実施の形態に限定されるものではない。また、本実施形態では、本発明にかかるサーバクライアントシステムとして遠隔監視システム１００を例示して説明する。
図１は、本発明の実施の形態にかかる遠隔監視システム１００の構成の一例を示すブロック図である。遠隔監視システム１００は、図１に示すように、サーバ１、複数のクライアント端末２、・・・、複数の設備装置３、・・・、ネットワークＮ等を備えている。複数のクライアント端末２、・・・は、ネットワークＮを介してサーバ１と接続されている。また、複数の設備装置３、・・・は、ネットワークＮを介してサーバ１と接続されている。
【００１６】
サーバ１は、図２に示すように、通信部１１、制御部１２等を備えている。
通信部１１は、ネットワークＮに接続され、クライアント端末２や設備装置３等との間の通信を行う。
また、制御部１２は、設備情報記憶部１２１（設備情報記憶手段）、画面属性記憶部１２２（画面属性記憶手段）、暗証番号記憶部１２３、画面属性更新部１２４、認証部１２５等を備えて構成されている。
【００１７】
設備情報記憶部１２１は、設備装置３の設備情報を記憶する。具体的には、設備装置３の識別情報と設備情報とを対応付けて記憶している。設備情報は、設備装置３からネットワークＮを介してサーバ１に送信され、サーバ１は、当該設備情報を設備情報記憶部１２１に記憶させる。
【００１８】
画面属性記憶部１２２は、設備装置３の設備情報をクライアント端末２において表示する際に用いられる画面属性情報を記憶している。画面属性記憶部１２２に記憶される画面属性情報の一例を図４に示す。画面属性情報とは、設備情報をクライアント端末２の表示部２２（後述）にどのように画面表示させるかについての情報である。具体的には、画面属性情報とは、例えば、図４に示すように、「画面名称」、「表示名称」、「表示色」、「最大値」、「最小値」、「スケール」、「オフセット」、「小数点桁数」、「単位」等の表示設定項目についての設定情報である。
また、図４に示すように、画面属性記憶部１２２は、画面Ｎｏ．と画面属性情報とを対応付けて記憶している。ここで、画面Ｎｏ．は、設備装置３毎に決められ、設備装置３の識別情報となる。即ち、画面属性記憶部１２２は、設備装置３の識別情報と画面属性情報とを対応付けて記憶している。識別情報は、本実施形態に限られるものではなく、設備装置３のＩＤや、設備装置３を指定するＵＲＬ等であってもよい。
【００１９】
暗証番号記憶部１２３は、ユーザ情報と暗証情報とを対応付けて記憶している。本実施形態では、ユーザ情報として、クライアント端末２のＩＤを例示して説明する。なお、暗証情報をユーザ毎に設定する場合には、ユーザ情報はユーザＩＤであってもよい。また、本実施形態では、暗証情報として、暗証番号を例示して説明する。なお、暗証情報は、指紋情報や網膜情報などの生体情報であってもよい。
【００２０】
画面属性更新部１２４は、クライアント端末２から更新された画面属性情報を受信した場合に、当該更新された画面属性情報を画面属性記憶部１２２に記憶させる。これにより、画面属性更新部１２４は、画面属性記憶部１２２を更新する。
【００２１】
認証部１２５は、クライアント端末２からアクセス要求信号が送信された場合に、通信部１１を制御して、ＩＤ・暗証番号要求信号をクライアント端末２に送信させる。そして、認証部１２５は、クライアント端末２から送信されたＩＤと暗証番号とに基づいて、暗証番号記憶部１２３を検索する。そして、認証部１２５は、当該ＩＤと当該暗証番号とが対応付けられて記憶されている場合に、クライアント端末２に対してサーバ１へのアクセスを許可する。具体的には、認証部１２５は、クライアント端末２から送信されたＩＤと暗証番号とが対応付けられて暗証番号記憶部１２３に記憶されている場合に、通信部１１を制御して、許可信号をクライアント端末２に送信させる。
【００２２】
クライアント端末２は、図３に示すように、通信部２１、表示部２２、入力部２３、制御部２４等を備えている。
【００２３】
通信部２１は、ネットワークＮに接続され、サーバ１との間の通信を行う。なお、通信部２１は、設備装置３との通信を行ってもよい。
【００２４】
表示部２２は、ＬＣＤ（Liquid Crystal Display）等を備えて構成されている。そして、表示部２２は、表示制御部２４２（後述）や演算部２４３（後述）により制御され、設備情報を表示する。
【００２５】
入力部２３は、キーボード等を備えて構成されている。そして、ユーザにより操作されることにより、各種の指示信号を制御部２４に入力する。具体的には、入力部２３は、設備情報を表示部２２に表示させる表示指示を入力する。また、入力部２３は、画面属性情報を更新する更新指示を入力する。
また、入力部２３は、ユーザにより操作されることにより、暗証番号を制御部２４に入力する。なお、ユーザ情報がユーザＩＤである場合には、入力部２３がユーザにより操作されて、ユーザＩＤが入力される。
【００２６】
制御部２４は、図３に示すように、記憶部２４１、表示制御部２４２（第１の表示制御手段、表示制御手段）、演算部２４３（第２の表示制御手段、演算手段）等を備えて構成されている。
【００２７】
記憶部２４１は、サーバ１から通信部２１が受信した設備情報及び画面属性情報を記憶している。また、表示制御部２４２及び演算部２４３により更新された画面属性情報を記憶する。
【００２８】
表示制御部２４２は、汎用アプリケーションであるウェブブラウザ等を備えている。そして、表示制御部２４２は、入力部２３から表示指示が入力された場合に、通信部２１を制御して、アクセス要求信号をサーバ１に送信させる。次いで、表示制御部２４２は、サーバ１からＩＤ・暗証番号要求信号を受信した場合に、表示部２２に、暗証番号の入力を催促する表示（例えば、「暗証番号を入力してください」等）を表示させる。次いで、表示制御部２４２は、通信部２１を制御して、当該クライアント端末２のＩＤと、入力部２３から入力された暗証番号とをサーバ１に送信させる。そして、サーバ１へのアクセスが許可された場合に、表示制御部２４２は、ウェブブラウザを用いて、サーバ１から設備情報及び画面属性情報を取得する。また、表示制御部２４２は、ウェブブラウザを用いて、設備情報を画面属性情報に基づいて、表示部２２に表示させる。
また、表示制御部２４２は、入力部２３から入力された更新指示に基づいて、画面属性情報を更新し、更新した画面属性情報を記憶部２４１に記憶させる。また、表示制御部２４２は、通信部２１を制御して、更新した画面情報をサーバ１へ送信させる。
【００２９】
演算部２４３は、サーバ１から設備情報を取得し、取得した設備情報に対して所定の演算処理を行う専用アプリケーションを備えている。ここで、所定の演算処理とは、例えば、平均値算出等の様々な解析処理等である。
また、演算部２４３は、入力部２３から表示指示が入力された場合に、通信部２１を制御して、アクセス要求信号をサーバ１に送信させる。次いで、演算部２４３は、サーバ１からＩＤ・暗証番号要求信号を受信した場合に、表示部２２に、暗証番号の入力を催促する表示（例えば、「暗証番号を入力してください」等）を表示させる。次いで、演算部２４３は、通信部２１を制御して、当該クライアント端末２のＩＤと、入力部２３から入力された暗証番号とをサーバ１に送信させる。そして、サーバ１へのアクセスが許可された場合に、演算部２４３は、当該専用アプリケーションを用いて、サーバ１から設備情報とともに画面属性情報を取得する。そして、演算部２４３は、当該専用アプリケーションを用いて、設備情報を画面属性情報に基づいて表示部２２に表示させる。
ウェブブラウザは汎用アプリケーションであるため、表示機能の操作性能は一般的なものに限られる。しかし、専用アプリケーションは、その用途毎に設計可能であるため、より用途に合った表示機能の操作性能となるように設計される。そのため、一般に、専用アプリケーションにより制御された表示部２２の画面の表示機能の操作性能は、ウェブブラウザにより制御された表示部２２の画面の表示機能の操作性能より優れる。換言すれば、演算部２４３により制御された表示部２２の画面の表示機能の操作性能は、表示制御部２４２により制御された表示部２２の画面の表示機能の操作性能より優れる。
【００３０】
また、演算部２４３は、入力部２３から入力された更新指示に基づいて、画面属性情報を更新し、更新した画面属性情報を記憶部２４１に記憶させる。また、演算部２４３は、通信部２１を制御して、更新した画面情報をサーバ１へ送信させる。
【００３１】
次に、本発明の実施の形態にかかる遠隔監視システム１００における遠隔監視方法のうち、ウェブブラウザを用いる方法（表示制御工程）について、図５に示すフローチャートを参照しながら説明する。
まず、表示制御部２４２は、入力部２３から、画面Ｎｏ．を指定して画面表示を要求する表示指示が入力されたか否かを判断する（ステップＳ１）。
【００３２】
ステップＳ１において、表示制御部２４２が、表示指示が入力されていないと判断した場合には（ステップＳ１；Ｎｏ）、スタートに戻る。
ステップＳ１において、表示制御部２４２が、表示指示が入力されたと判断した場合には（ステップＳ１；Ｙｅｓ）、表示制御部２４２は、通信部２１を制御して、アクセス要求信号をサーバ１に送信させる。次いで、表示制御部２４２は、サーバ１からＩＤ・暗証番号要求信号を受信した場合に、表示部２２に、暗証番号の入力を催促する表示を表示させる。次いで、表示制御部２４２は、通信部２１を制御して、当該クライアント端末２のＩＤと、入力部２３から入力された暗証番号とをサーバ１に送信させる。そして、サーバ１へのアクセスが許可されたか否かを判断する（ステップＳ２）。
【００３３】
ステップＳ２において、サーバ１へのアクセスが許可されなかった場合（ステップＳ２；Ｎｏ）、本処理を終了する。
ステップＳ２において、サーバ１へのアクセスが許可された場合（ステップＳ２；Ｙｅｓ）、表示制御部２４２は、通信部２１を制御して、ステップＳ１において指定された画面Ｎｏ．に対応する設備情報及び画面属性情報を要求する信号をサーバ１へ送信させる。また、表示制御部２４２は、通信部２１を制御して、サーバ１から送信された当該設備情報及び画面属性情報を受信させる。また、表示制御部２４２は、通信部２１により受信された当該設備情報及び画面属性情報を記憶部２４１に記憶させる。次いで、表示制御部２４２は、当該設備情報を当該画面属性情報に基づいて表示部２２に表示させる（ステップＳ３）。
【００３４】
次に、表示制御部２４２は、入力部２３から画面属性情報を更新する更新指示が入力されたか否かを判断する（ステップＳ４）。
【００３５】
ステップＳ４において、表示制御部２４２が、更新指示が入力されていないと判断した場合には（ステップＳ４；Ｎｏ）、ステップＳ４に戻る。
ステップＳ４において、表示制御部２４２が、更新指示が入力されたと判断した場合には（ステップＳ４；Ｙｅｓ）、表示制御部２４２は、当該更新指示に基づいて画面属性情報を更新し、更新した画面属性情報を記憶部２４１に記憶させる（ステップＳ５）。
【００３６】
次に、表示制御部２４２は、通信部２１を制御して、更新した画面属性情報をサーバ１に送信させる（ステップＳ６）。サーバ１は、クライアント端末２から送信された当該画面属性情報を受信し、画面属性記憶部１２２に画面Ｎｏ．と対応づけて記憶する。
【００３７】
次に、表示制御部２４２は、更新した画面属性情報に基づいて設備情報を表示部２２に表示させる（ステップＳ７）。
【００３８】
次に、遠隔監視システム１００における遠隔監視方法のうち、専用アプリケーションを用いる方法（演算工程）について、図６に示すフローチャートを参照しながら説明する。
まず、入力部２３から表示指示が入力された場合に、演算部２４３は、通信部２１を制御して、アクセス要求信号をサーバ１に送信させる。次いで、演算部２４３は、サーバ１からＩＤ・暗証番号要求信号を受信した場合に、表示部２２に、暗証番号の入力を催促する表示を表示させる。次いで、演算部２４３は、通信部２１を制御して、当該クライアント端末２のＩＤと、入力部２３から入力された暗証番号とをサーバ１に送信させる。そして、サーバ１へのアクセスが許可されたか否かを判断する（ステップＳ１０１）。
【００３９】
ステップＳ１０１において、サーバ１へのアクセスが許可されなかった場合（ステップＳ１０１；Ｎｏ）、本処理を終了する。
ステップＳ１０１において、サーバ１へのアクセスが許可された場合（ステップＳ１０１；Ｙｅｓ）、演算部２４３は、入力部２３により、設備情報を取得する設備装置３が選択されると（ステップＳ１０２）、演算部２４３は、通信部２１を制御して、当該設備装置３の画面Ｎｏ．に対応する設備情報及び表示画面情報を要求する信号をサーバ１に送信させる。また、演算部２４３は、通信部２１を制御して、サーバ１から送信された当該設備情報及び画面属性情報を受信させる。また、演算部２４３は、通信部２１により受信された当該設備情報及び画面属性情報を記憶部２４１に記憶させる（ステップＳ１０３）。
【００４０】
次に、演算部２４３は、当該設備情報を当該画面属性情報に基づいて表示部２２に表示させる（ステップＳ１０４）。
【００４１】
次に、演算部２４３は、入力部２３から画面属性情報を更新する更新指示が入力されたか否かを判断する（ステップＳ１０５）。
【００４２】
ステップＳ１０５において、演算部２４３が、更新指示が入力されていないと判断した場合には（ステップＳ１０５；Ｎｏ）、ステップＳ１０５に戻る。
ステップＳ１０５において、演算部２４３が、更新指示が入力されたと判断した場合には（ステップＳ１０５；Ｙｅｓ）、演算部２４３は、当該更新指示に基づいて画面属性情報を更新し、更新した画面属性情報を記憶部２４１に記憶させる（ステップＳ１０６）。
【００４３】
次に、演算部２４３は、通信部２１を制御して、更新した画面属性情報をサーバ１に送信させる（ステップＳ１０７）。サーバ１は、クライアント端末２から送信された当該画面属性情報を受信し、画面属性記憶部１２２に画面Ｎｏ．と対応づけて記憶する。
【００４４】
次に、演算部２４３は、更新した画面属性情報に基づいて設備情報を表示部２２に表示させる（ステップＳ１０８）。
【００４５】
以上、説明したように、本発明の実施の形態にかかる遠隔監視システム１００及び遠隔監視方法によれば、サーバ１と、サーバ１とネットワークＮを介して接続される設備装置３、・・・と、サーバ１とネットワークＮを介して接続され、設備装置３の設備情報を遠隔監視するクライアント端末２、・・・と、を備える遠隔監視システム１００であって、サーバ１は、設備装置３の設備情報を記憶する設備情報記憶部１２１と、設備情報の表示に関する画面属性情報を記憶する画面属性記憶部１２２と、を備え、クライアント端末２は、サーバ１から設備情報と画面属性情報とを取得し、画面属性情報に基づいて設備情報を表示部２２に表示させる表示制御部２４２と、サーバ１から設備情報を取得して所定の演算処理を行う演算部２４３と、を備え、演算部２４３は、サーバ１から画面属性情報を取得して、当該画面属性情報に基づいて、設備情報を表示部２２に表示させるものである。
このような構成により、クライアント端末２において、演算部２４３により設備情報を表示部２２に表示させる際に、表示制御部２４２が用いる画面属性情報を流用することができる。これにより、演算部２４３により設備情報を表示部２２に表示させるための画面属性情報をクライアント端末２において設定しなくても済む。また、サーバ１から画面属性情報を各クライアント端末２が取得できるので、各クライアント端末２毎に、演算部２４３が用いる画面属性情報を設定していた手間を省くことができる。従って、より簡便に設備情報の表示を行うことができる。
【００４６】
また、表示制御部２４２は、ウェブブラウザを用いて設備情報を表示部２２に表示させ、演算部２４３は、設備情報を演算処理する専用アプリケーションを用いて設備情報を表示部２２に表示させるものである。
このような構成により、汎用アプリケーションであるウェブブラウザにおいて用いられる画面属性情報を専用アプリケーションで流用することができる。これにより、画面属性情報を専用アプリケーションのために設定していた手間を省くことができる。従って、専用アプリケーションによる設備情報の表示をより簡便に行うことができる。
また、一般に、専用アプリケーションの表示機能の操作性能は、ウェブブラウザよりも優れる。従って、表示に関する操作性能がより高い画面表示をより簡便に行うことができる。
【００４７】
さらに、画面属性記憶部１２２は、設備装置３の画面Ｎｏ．と画面属性情報とを対応付けて記憶するものである。
これにより、クライアント端末２は、設備装置３の画面Ｎｏ．を指定することにより、当該設備装置３の設備情報を表示するための画面属性情報を取得することができる。そして、設備装置３毎に異なる画面属性情報をクライアント端末２において個々に設定する手間を省くことができる。
【００４８】
また、クライアント端末２は、画面属性情報を更新する指示を入力するための入力部２３を備え、表示制御部２４２は、設備情報を表示部２２に表示させている際に入力部２３によって入力された指示に従って画面属性情報を更新し、更新した画面属性情報をサーバ１に送信し、サーバ１は、更新された画面属性情報を受信した場合に、当該画面属性情報を画面属性記憶部１２２に記憶させる。
これにより、表示制御部２４２により設備情報を表示部２２に表示させている際に、画面属性情報を更新することができる。また、更新された画面属性情報がサーバ１に記憶されるので、演算部２４３は、更新された画面属性情報をサーバ１から取得することによって、更新された画面属性情報を流用することができる。
【００４９】
また、演算部２４３は、設備情報を表示部２２に表示させている際に入力部２３によって入力された指示に従って画面属性情報を更新し、更新した画面属性情報をサーバ１に送信し、サーバ１は、更新された画面属性情報を受信した場合に、当該画面属性情報を画面属性記憶部１２２に記憶させる。
これにより、演算部２４３により設備情報を表示部２２に表示させている際に、画面属性情報を更新することができる。また、更新された画面属性情報がサーバ１に記憶されるので、表示制御部２４２は、更新された画面属性情報をサーバ１から取得することによって、更新された画面属性情報を用いることができる。
なお、本発明は、サーバ１に記憶されている何らかの情報をクライアント端末２において表示するサーバクライアントシステムに適用可能であり、サーバ１に記憶されている情報は設備情報に限られない。また、サーバクライアントシステムに設備装置３が含まれなくてもよい。
また、１つの設備装置３に複数の画面Ｎｏ．が割り振られてもよい。即ち、１つの設備装置３の設備情報を表示する画面が複数種類あってもよい。その場合には、設備装置３のＩＤ等の識別情報と画面Ｎｏ．とが対応付けられてサーバ１に記憶される。
【図面の簡単な説明】
【００５０】
【図１】本発明の実施の形態にかかる遠隔監視システムの構成の一例を示すブロック図である。
【図２】本発明の実施の形態にかかるサーバの構成の一例を示すブロック図である。
【図３】本発明の実施の形態にかかるクライアント端末の構成の一例を示すブロック図である。
【図４】本発明の実施の形態にかかる画面属性記憶部に記憶されているデータ構造の一例を示す図である。
【図５】本発明の実施の形態にかかる遠隔監視方法の一例を示すフローチャートである。
【図６】本発明の実施の形態にかかる遠隔監視方法の一例を示すフローチャートである。
【符号の説明】
【００５１】
１  サーバ
１２１  設備情報記憶部（設備情報記憶手段）
１２２  画面属性記憶部（画面属性記憶手段）
２  クライアント端末
２２  表示部
２３  入力部
２４２  表示制御部（第１の表示制御手段、表示制御手段）
２４３  演算部（第２の表示制御手段、演算手段）
３  設備装置
１００  遠隔監視システム（サーバクライアントシステム）
Ｎ  ネットワーク
【図１】
0004879862.tif 000002
【図２】
0004879862.tif 000003
【図３】
0004879862.tif 000004
【図４】
0004879862.tif 000005
【図５】
0004879862.tif 000006
【図６】
0004879862.tif 000007